(57)【要約】【目的】石油ファンヒータの気化器ヒータの予約タイマに関し、温風吹き出しまでの時間を短縮すると共に、消費電力を少なくし、且つ安全なタイマ運転を可能とする石油ファンヒータのタイマを提供する。【構成】気化器ヒータと着火装置を備え、燃料を気化した後に着火装置により点火を行う石油ファンヒータにおいて、当該石油ファンヒータにはタイマを供え、当該タイマは少なくとも前記気化器ヒータのオンのみを行える機能を備えたことを特徴とする石油ファンヒータのタイマとする。【選択図】図１
2004239578.tif 000002
【特許請求の範囲】
【請求項１】
気化器ヒータと着火装置を備え、燃料を気化した後に着火装置により点火を行う石油ファンヒータにおいて、当該石油ファンヒータには予約時間タイマを供え、当該タイマは少なくとも前記気化器ヒータのオンのみを行える機能を備えたことを特徴とする気化器ヒータ予約機能を備える石油ファンヒータ。
【請求項２】
タイマによる気化器ヒータのオン後所定の時間内に着火動作が行われなければ自動的に気化器ヒータがオフすることを特徴とする請求項１に記載の気化器ヒータ予約機能を備える石油ファンヒータ。
【発明の詳細な説明】
【０００１】
【発明の属する技術分野】
本発明は石油ファンヒータの気化器ヒータの予約タイマに関する。
【０００２】
【従来の技術】
従来より石油ファンヒータにおいては、気化器ヒータにより気化器を暖めたから気化器へ燃料を供給し、気化させ、イグナイタなどの着火装置により燃料に点火するものが知られており、一般的な点火手段として広く使用されている。このような点火を行い、石油ファンヒータの運転、すなわち温風がでてくるまでは、数分間といった時間が必要であり、使用者においてはなるべく早い着火が望まれている。
【０００３】
このような温風吹き出しまでの動作フローを図２に示す。図２においては、運転スイッチをオン（Ｓ１）すると気化器ヒータで気化器の予熱が始まり（Ｓ２）気化器の温度が着火可能な温度に達するまで当該気化器ヒータが暖められる（Ｓ３）。次に前記気化器が燃料を着火可能な温度まで引き上げたときに着火動作を行い（Ｓ４）、温風を吹き出す燃焼運転（Ｓ５）へ移行する。
【０００４】
また、上述した石油ファンヒータにおいては、タイマ運転といった機能があり、所望の時間に運転を開始したり、運転を停止したりできる。この動作フローを図３に示す。図３において、使用者はタイマセット（Ｓ１）を行い、所定の時間になったとき（Ｓ２）に自動的に石油ファンヒータの運転スイッチがオンする（Ｓ３）。その後の動作は前述の石油ファンヒータの動作と同じく、気化器を予熱（Ｓ４）し、気化器が燃料の着火可能な温度に達する（Ｓ５）と燃料に着火（Ｓ６）を行い、燃焼運転を行うことで温風が吹き出す（Ｓ７）。
【０００５】
【発明が解決しようとする課題】
上述したような石油ファンヒータでタイマ運転を行う場合、特に運転開始をタイマで行う場合において、図３において説明したように、運転開始時間を指定すると無条件で着火動作まで行い、温風を吹き出す運転を行う。したがって、例えば朝目覚める時間に運転開始をタイマセットしておき、そのタイマ運転を行う時に使用者が確実に石油ファンヒータの近くにいる場合には安全な運転ができるが、外から帰宅する場合などでは、点火時に機器の近くに人がいない場合もあり、この状態で点火、運転が行われ火気が発生するのは危険なものとなる。
【０００６】
また、通常使用者は図２に示すような手順を行って石油ファンヒータの運転を開始するので、気化器の予熱に必要な所定の数分を待たなければ温風が得られないといった不具合が生じる。この対策として、通電中常に気化器ヒータをオンすることで温風がでてくるまでの時間を短縮できるが、一般に予熱運転は消費電力が大きく、長時間の運転においては不経済にもなる。
【０００７】
本発明は、温風吹き出しまでの時間を短縮すると共に、消費電力を少なくし、且つ安全なタイマ運転を可能とする石油ファンヒータのタイマを提供することを目的とする。
【０００８】
【課題を解決するための手段】
上記課題を解決するために、本発明では次のような構成とする。すなわち、請求項１においては、気化器ヒータと着火装置を備え、燃料を気化した後に着火装置により点火を行う石油ファンヒータにおいて、当該石油ファンヒータにはタイマを供え、当該タイマは少なくとも前記気化器ヒータのオンのみを行える機能を備えたことを特徴とする気化器ヒータ予約機能を備える石油ファンヒータとする。請求項２においては、タイマによる気化器ヒータのオン後所定の時間内に着火動作が行われなければ自動的に気化器ヒータがオフすることを特徴とする請求項１に記載の気化器ヒータ予約機能を備える石油ファンヒータとする。
【０００９】
【実施例】
次に本発明の実施例について説明する。本発明では、石油ファンヒータ本体に灯油などの燃料を気化するための気化器ヒータと、当該気化した燃料に着火を行うイグナイタ等で構成される着火装置を備えると共に、少なくとも気化器ヒータの駆動をオン可能なタイマ機能を供える構造とする。
【００１０】
このような構成における本発明のフローを図１に基づいて説明する。図１において行うタイマセットの概略は、基本的には気化器ヒータの予熱を行うタイマとなっており、使用者が運転スイッチを押さない限り燃料への着火動作が行われないものとなっている。したがって、使用者がいないときに火気が発生することはない。
【００１１】
図１に基づいて説明すると、使用者がタイマをセットし（Ｓ１）、タイマ時間になるまでタイマカウントを行う（Ｓ２）。その後所定のタイマ時間になると気化器ヒータで気化器の予熱が始まり（Ｓ３）、気化器が着火可能な温度になるまで通電が行われる（Ｓ４）。その後使用者による運転スイッチのオンが実行（Ｓ５）されれば燃料への着火が行われ（Ｓ６）通常の石油ファンヒータの燃焼運転として温風の吹き出しが行われる（Ｓ７）
。
【００１２】
また前記Ｓ５において、タイマがオンしている間に運転スイッチがオンされない場合には、規定の予熱時間をカウントし（Ｓ８）、この時間を経過した場合にはタイマ運転を終了（Ｓ９）し、気化器ヒータへの予熱通電を停止する。
【００１３】
したがって、タイマ運転中に使用者が機器の近くにいない場合には運転スイッチがオンされることがないので、無人のまま火気が発生することがない。また、タイマ運転中であれば、運転スイッチをオンすることで即座に燃焼運転が開始できるので、従来のように運転スイッチをオンしてから数分といった長い時間を待たなくても温風が得られるものとなる。
【００１４】
なお、上記構成において、タイマによる気化器ヒータのオン後所定の時間内に着火動作が行われなければ自動的に気化器ヒータをオフさせる機能を付加させることで、機器の省電力に貢献し、無駄な電力の消費を防止しているが、当該所定時間後のオフ機能はなくすことで使用者がいつでも即座に温風が得られる石油ファンヒータとすることができる。
【００１５】
【発明の効果】
上記構成により、石油ファンヒータのタイマにより気化器ヒータのみに通電を行い、オンオフするので、使用者が不在の場合にタイマ運転が開始されても点火は行われず、無人時に火気が発生することはない。
【００１６】
また、気化器ヒータへの通電はタイマのオン時のみであるために、無駄なエネルギーを消費することなく省エネルギー効果が得られる。また、気化器ヒータオン時所定の時間後に点火動作が行われなければ自動的に気化器ヒータの通電を止めることで、より効果的な節電が可能になる。
【図面の簡単な説明】
【図１】本発明の石油ファンヒータのタイマ運転フロー図を示す
【図２】従来の石油ファンヒータのタイマ運転フロー図を示す
【図３】石油ファンヒータの運転フロー図を示す
【符号の説明】
図において同一符号は同一、または相当部分を示す。
【図１】
2004239578.tif 000003
【図２】
2004239578.tif 000004
【図３】
2004239578.tif 000005